(57)【要約】【課題】携帯電話機に関する設定の操作を容易に行うことができるハンズフリー通話装置を提供すること。【解決手段】携帯電話機２０が音声通信可能に接続される無線通信部１２と、この無線通信部１２に接続された携帯電話機２０に対して、発信または終話を指示するハードキー１８とを備え、当該携帯電話機２０を介して、ハンズフリー通話を行うハンズフリー通話装置１０において、ハードキー１８に携帯電話機２０に関する設定を行う機能を更に割り当て、このハードキー１８の各機能を、携帯電話機２０と無線通信部１２との接続状態に応じて切り換えて制御する中央演算処理部１６を備える【選択図】図３
2011103560.tif 000002
【特許請求の範囲】
【請求項１】
携帯電話端末が音声通信可能に接続される接続手段と、この接続手段に接続された携帯電話端末に対して、発信または終話を指示する操作子とを備え、当該携帯電話端末を介して、ハンズフリー通話を行うハンズフリー通話装置において、
前記操作子に前記携帯電話端末に関する設定を行う機能を割り当て、
前記操作子の各機能を、前記携帯電話端末と前記接続手段との接続状態に応じて切り換えて制御する制御手段を備えることを特徴とするハンズフリー通話装置。
【請求項２】
前記携帯電話端末が前記接続手段に接続されているか否かを検出する検出手段を備え、
前記制御手段は、前記検出手段が前記携帯電話端末と前記接続手段とが接続されていると検出した場合には、前記操作子を当該携帯電話端末に対して発信または終話を指示するように機能させ、前記検出手段が前記携帯電話端末と前記接続手段とが接続されていないと検出した場合には、前記操作子を当該携帯電話端末に関する設定を行うように機能させることを特徴とする請求項１に記載のハンズフリー通話装置。
【請求項３】
前記携帯電話端末に関する情報を表示する表示部を備え、
前記制御手段は、前記操作子が操作された際に、前記携帯電話端末と前記接続手段との接続が検出されない場合には、前記表示部に、前記携帯電話端末に関する設定を行う設定画面を表示することを特徴とする請求項１または２に記載のハンズフリー通話装置。
【発明の詳細な説明】
【技術分野】
【０００１】
本発明は、携帯電話端末をハンズフリーで通話可能とするハンズフリー通話装置に関する。
【背景技術】
【０００２】
従来、自動車等の車両内において、ユーザが携帯電話機（携帯電話端末）を把持せずとも、携帯電話機を使用していわゆるハンズフリー通話を可能とするハンズフリー通話装置が知られている。この種のハンズフリー通話装置は、携帯電話機との間で、Bluetooth（登録商標）プロトコルなどに従って近距離無線通信を行い、音声信号を送受信することで、例えば、運転者や同乗者が携帯電話機をハンズフリーで通話できるようにしている（例えば、特許文献１参照）。
【先行技術文献】
【特許文献】
【０００３】
【特許文献１】特開平１０−２７６２６１号公報
【発明の概要】
【発明が解決しようとする課題】
【０００４】
ところで、この種のハンズフリー通話装置では、新たに携帯電話機を登録する場合や登録された携帯電話機の中から一の携帯電話機を選択する場合には、近距離無線通信によって接続される携帯電話機の各種設定を行う必要がある。しかしながら、従来の構成では、携帯電話機の各種設定を行う場合には、例えば、ハンズフリー通話装置が接続される車載ナビゲーション装置等の表示パネル上に表示されるメインメニューから所定の設定画面を呼び出して行う必要があり、設定操作の手間が煩雑になるといった問題があった。
本発明は、上述した事情に鑑みてなされたものであり、携帯電話機に関する設定の操作を容易に行うことができるハンズフリー通話装置を提供することを目的とする。
【課題を解決するための手段】
【０００５】
上記目的を達成するために、本発明は、携帯電話端末が音声通信可能に接続される接続手段と、この接続手段に接続された携帯電話端末に対して、発信または終話を指示する操作子とを備え、当該携帯電話端末を介して、ハンズフリー通話を行うハンズフリー通話装置において、前記操作子に前記携帯電話端末に関する設定を行う機能を割り当て、前記操作子の各機能を、前記携帯電話端末と前記接続手段との接続状態に応じて切り換えて制御する制御手段を備えることを特徴とする。
【０００６】
この構成において、前記携帯電話端末が前記接続手段に接続されているか否かを検出する検出手段を備え、前記制御手段は、前記検出手段が前記携帯電話端末と前記接続手段とが接続されていると検出した場合には、前記操作子を当該携帯電話端末に対して発信または終話を指示するように機能させ、前記検出手段が前記携帯電話端末と前記接続手段とが接続されていないと検出した場合には、前記操作子を当該携帯電話端末に関する設定を行うように機能させる構成としても良い。
【０００７】
また、前記携帯電話端末に関する情報を表示する表示部を備え、前記制御手段は、前記操作子が操作された際に、前記携帯電話端末と前記接続手段との接続が検出されない場合には、前記表示部に、前記携帯電話端末に関する設定を行う設定画面を表示する構成としても良い。
【発明の効果】
【０００８】
本発明によれば、携帯電話端末が音声通信可能に接続される接続手段と、この接続手段に接続された携帯電話端末に対して、発信または終話を指示する操作子とを備え、この操作子に携帯電話端末に関する設定を行う機能を更に割り当て、操作子の各機能を、携帯電話端末と接続手段との接続状態に応じて切り換えて制御する制御手段を備えるため、例えば、携帯電話端末と接続手段とが接続されていない状態で、操作子を操作した場合には、携帯電話端末に関する設定の処理動作に速やかに移行することができ、当該設定操作を容易に行うことができる。
【図面の簡単な説明】
【０００９】
【図１】本発明の実施の形態に係るハンズフリー通話装置の使用の態様を示す図である。
【図２】ハンズフリー通話装置の機能的構成を示すブロック図である。
【図３】ハンズフリー通話装置の動作を示すフローチャートである。
【図４】携帯電話機に関する設定メニューの一例を示す図である。
【図５】携帯電話機の選択画面の一例を示す図である。
【発明を実施するための形態】
【００１０】
以下、図面を参照して本発明の実施形態について説明する。
図１に示すように、本実施の形態に係るハンズフリー通話装置１０は、自動車等の車両５０に搭載される車載器として構成され、当該車両５０を運転する運転者や同乗者が所有する一又は複数の携帯電話機（携帯電話端末）２０と所定の通信プロトコルに従って通信を行い、これらの携帯電話機２０に対してハンズフリー通話を可能にする装置である。
【００１１】
ハンズフリー通話装置１０及び携帯電話機２０が互いにBluetooth（登録商標）規格に準拠した近距離無線通信可能に構成されている。携帯電話機２０は、移動通信網３０を介して携帯端末キャリアを受信或いは送信して、他の携帯端末４０や固定電話（図示略）と通話通信するものであり、内蔵スピーカや内蔵マイク、電話通信のための通信部、音声通信やデータ通信のための通信端子といった一般的な携帯電話機２０が有する構成を備えると共に、ハンズフリー通話装置１０と上述した所定のプロトコルに従って近距離無線通信するための近距離無線通信用の通信モジュール（例えば、Bluetoothモジュール）（図示略）を備えている。
なお、近距離無線通信として無線ＬＡＮを用いる構成としても良く、また、無線通信に限らず、有線通信であっても良いが本実施の形態では無線通信を行うものとして以下説明する。
【００１２】
図２は、ハンズフリー通話装置１０の機能的構成を、携帯電話機２０と共に示すブロック図である。ハンズフリー通話装置１０は、図２に示すように、音声処理部１１と、無線通信部（接続手段）１２と、表示処理部１３と、キー処理部１４と、記憶部１５と、これらを統括的に制御してハンズフリー通話制御を行う中央演算処理部１６とを備えている。
音声処理部１１には、車両５０内に配置される据置型のマイク１１ａと、スピーカ１１ｂとが接続されている。音声処理部１１は、ユーザの音声（送話音声）をマイク１１ａにて収音し、音声信号に変換して中央演算処理部１６に出力するとともに、携帯電話機２０から出力された音声（受話音声）をスピーカ１１ｂに出力し、対応する音声を放音させるものである。
【００１３】
無線通信部１２は、車両５０内の携帯電話機２０が備える近距離無線モジュールと同様に、Bluetooth規格に準拠して近距離無線通信するためのものであり、周囲に通信エリアを形成し、この通信エリアに在圏する携帯電話機２０と無線通信する。これにより、この無線通信部１２は、中央演算処理部１６の制御の下、通信エリアに在圏する携帯電話機２０と通信同期を確立し、各携帯電話機２０から無線送信される着信トリガ信号（着信音声の信号も含む）を受信したり、音声通信等が可能となっている。なお、当該ハンズフリー通話装置１０と携帯電話機２０とを有線にて接続可能とする場合には、ハンズフリー通話装置１０に通信ケーブルが接続される通信Ｉ／Ｆ（インターフェース）を設け、当該通信Ｉ／Ｆを介して携帯電話機２０と受話音声、送話音声及び各種制御コマンドを送受する構成とすれば良い。
【００１４】
表示処理部１３は、中央演算処理部１６の制御の下、表示部１７に表示される各種情報の処理を行うものであり、この表示部１７は、例えば、液晶表示パネルや液晶駆動回路等から構成される。本実施形態では、表示部１７には、携帯電話機２０に関する情報が表示される。
キー処理部１４は、中央演算処理部１６の制御の下、表示部１７に表示される電話番号の入力等を行うためのテンキーや、ハンズフリー通話装置１０に設けられたハードキー（操作子）１８の操作状態を中央演算処理部１６に出力するものである。ここで、ハードキー１８は、ハンズフリー通話装置１０に接続される、もしくは、ハンズフリー通話装置１０を内蔵する車載装置（図示略）の前面パネル等、運転者または同乗者が操作しやすい位置に設けられている。また、本実施形態では、ハードキー１８には、予め、ハンズフリー通話の発信または終話を指示する機能と、携帯電話機に関する設定を行う動作に移行する機能とが割り当てられており、中央演算処理部１６は、携帯電話機２０が無線通信部１２と近距離無線通信可能な状態にあるか否かで各機能を切り換えて制御している。また、中央演算処理部１６は、携帯電話機２０が無線通信部１２と近距離無線接続されているか否かを検出する検出手段として機能する。
記憶部１５は、中央演算処理部１６によって実行される制御プログラムや各種データを記憶するものであり、ＲＯＭやＲＡＭ等のメモリ素子を備え、中央演算処理部１６によりアクセス可能に構成されている。
【００１５】
次いで、ハンズフリー通話装置１０の動作を説明する。図３は、動作を示すフローチャートである。
まず、ハンズフリー通話装置１０に電源が投入されている状態で、ハードキー１８が操作される（ステップＳ１）と、中央演算処理部１６は、無線通信部１２と携帯電話機２０とが近距離無線通信により接続されているか否かを判別する（ステップＳ２）。この判別において、無線通信部１２と携帯電話機２０とが接続されている場合（ステップＳ２；Ｙｅｓ）には、中央演算処理部１６は、ハードキー１８をハンズフリー通話の発信または終話を指示する機能に設定し、この指示に基づいてハンズフリー通話の動作処理に移行する（ステップＳ３）。
具体的には、中央演算処理部１６は、表示処理部１３を介して、表示部１７の液晶表示パネルに電話番号の入力等を行うためのテンキーを表示させたり、予め登録されている電話番号リストを表示させたりしたのち、ユーザの操作に応じて、所定の電話番号に電話をかけ、ハンズフリー通話を実行する。
【００１６】
一方、無線通信部１２と携帯電話機２０とが接続されていない場合（ステップＳ２；Ｎｏ）には、中央演算処理部１６は、ハードキー１８を携帯電話機２０に関する設定を行う機能に設定し、この設定動作処理に移行する。
具体的には、中央演算処理部１６は、図４に示すように、表示処理部１３を介して、表示部１７の液晶表示パネルに、携帯電話機２０に関する設定を行う設定画面６０を表示する（ステップＳ４）。この設定画面６０は、車載装置の初期メニュー画面に対して、複数層下位に位置する画面である。本構成では、無線通信部１２と携帯電話機２０とが接続されていない場合には、ハードキー１８の操作によって、上記設定画面６０を直接的に表示させることができるため、この設定画面６０による携帯電話機２０の各種設定を速やかに行うことができ、当該設定操作を容易に行うことができる。
設定画面６０には、「登録された携帯電話機の中から選択」する第１設定キー６１と、「新規に携帯電話機を登録」する第２設定キー６２とキャンセルキー６３とが表示される。これら各キーは、タッチキーとして形成されており、ユーザが各キーに触れることにより所望の操作が実現される。
【００１７】
続いて、中央演算処理部１６は、登録されている電話機で選択するか否かを判別する（ステップＳ５）。すなわち、設定画面６０に表示された各キーのいずれをユーザが選択するのかを判別する。この判別において、キャンセルキー６３が操作された場合には、設定画面６０が開かれた状態がキャンセルされて処理を終了する。
また、ステップＳ５の判別において、第１設定キー６１が操作された場合には、中央演算処理部１６は、表示処理部１３を介して、表示部１７の液晶表示パネルに、デバイスリスト画面７０を表示させる。このデバイスリスト画面７０には、記憶部１５に予め登録されている複数台（図５では５台）の携帯電話機２０に対応する選択キー７１〜７５と、戻るキー７６とが形成されている。この戻るキー７６が操作されると、中央演算処理部１６は、液晶表示パネルに表示される画面を設定画面６０に戻す。
ここで、ユーザによって、任意の１台の携帯電話機２０が選択されると（例えば、「Ｚ８００」選択キー７１が操作されると）、中央演算処理部１６は、対応する「Ｚ８００」の携帯電話機２０と無線通信部１２とを近距離無線通信により接続し、当該携帯電話機２０を利用可能な状態で制御して（ステップＳ６）、処理を終了する。
【００１８】
また、ステップＳ５の判別において、第２設定キー６２が操作された場合には、中央演算処理部１６は、新たな携帯電話機２０を検索し、この検索された携帯電話機２０を記憶部１５に登録するとともに、この登録された携帯電話機２０を利用可能な状態で制御して（ステップＳ７）、処理を終了する。
【００１９】
以上説明したように、本実施形態によれば、携帯電話機２０が音声通信可能に接続される無線通信部１２と、この無線通信部１２に接続された携帯電話機２０に対して、発信または終話を指示するハードキー１８とを備え、当該携帯電話機２０を介して、ハンズフリー通話を行うハンズフリー通話装置１０において、ハードキー１８に携帯電話機２０に関する設定を行う機能を更に割り当て、このハードキー１８の各機能を、携帯電話機２０と無線通信部１２との接続状態に応じて切り換えて制御する中央演算処理部１６を備えるため、例えば、携帯電話機２０と無線通信部１２とが接続されていない状態で、ハードキー１８を操作した場合には、携帯電話機２０に関する設定の処理動作に速やかに移行することができ、当該設定操作を容易に行うことができる。
【００２０】
また、本実施形態によれば、中央演算処理部１６は、携帯電話機２０が無線通信部１２に接続されているか否かを検出し、携帯電話機２０と無線通信部１２とが接続されていると検出した場合には、ハードキー１８を当該携帯電話機２０に対して発信または終話を指示するように機能させ、携帯電話機２０と無線通信部１２とが接続されていないと検出した場合には、ハードキー１８を当該携帯電話機２０に関する設定を行うように機能させるため、ハードキー１８を操作するといった単純な構成で、ハンズフリー通話を行う動作処理と、携帯電話機２０に関する設定を行う動作処理とを切り換えて実行することができる。
【００２１】
また、本実施形態によれば、携帯電話機２０に関する情報を表示する表示部１７を備え、中央演算処理部１６は、ハードキー１８が操作された際に、携帯電話機２０と無線通信部１２との接続が検出されない場合には、表示部１７に、携帯電話機２０に関する設定を行う設定画面６０を直接的に表示させるため、この設定画面６０による携帯電話機２０の各種設定を速やかに行うことができ、当該設定操作を容易に行うことができる。
【００２２】
以上、説明した実施の形態は本発明の一態様であり、本発明の趣旨を逸脱しない範囲において適宜変更可能であるのは勿論である。
例えば、上記実施形態では、携帯電話機２０が無線接続可能なハンズフリー通話装置１０に本発明を適用する場合について述べたが、携帯電話機２０と有線接続可能なハンズフリー通話装置に広く適用することができる。
【００２３】
また、上記実施の形態のハンズフリー通話装置１０は車両５０に設置される車載用のものとして説明したが、本発明に係るハンズフリー通話装置１０は車載用に限定される趣旨ではなく、会議室などの居室内に設置されるものであってもよいのは勿論である。
【符号の説明】
【００２４】
１０  ハンズフリー通話装置
１１  音声処理部
１２  無線通信部（接続手段）
１３  表示処理部
１５  記憶部
１６  中央演算処理部（制御手段）
１７  表示部
１８  ハードキー（操作子）
２０  携帯電話機（携帯電話端末）
５０  車両
６０  設定画面
６１  第１設定キー
６２  第２設定キー
６３  キャンセルキー
７０  デバイスリスト画面
７１〜７５  選択キー
７６  戻るキー
【図１】
2011103560.tif 000003
【図２】
2011103560.tif 000004
【図３】
2011103560.tif 000005
【図４】
2011103560.tif 000006
【図５】
2011103560.tif 000007